(57)【要約】【課題】表示する機器の表示幅に合わせてビットマップ画像を複写または移動して、他の表示画面に表示することにより、縦スクロールのみで画像の閲覧を可能とする。【解決手段】処理対象となるイメージ画像ＩＧ０から画素の連結成分情報を用いて文字のみを包含する文字矩形領域の情報を抽出する文字矩形領域情報抽出手段１１と、文字矩形領域情報抽出手段１２により抽出した各文字矩形領域の文字の並び順を記憶する文字並び記憶手段１３と、文字並び記憶手段に記憶した文字並び順を保持したまま、前記文字矩形領域情報抽出手段により抽出した前記各文字矩形領域情報にかかる各画像を、所定の表示窓の表示幅に応じて行送りまたは列送りをして表示する表示手段１４とを備える。【選択図】    図１
2005018337.tif 000002
【特許請求の範囲】
【請求項１】
イメージ画像中の文字行または文字列を、文字の並び順を変更せずに、行送りする当該文字行中の部位または列送りする当該文字列中の部位を変更して所定の表示窓に表示するイメージ画像表示装置において、
処理対象となる前記イメージ画像から画素の連結成分情報を用いて文字のみを包含する文字矩形領域の情報を抽出する文字矩形領域情報抽出手段と、
前記文字矩形領域情報抽出手段により抽出した前記各文字矩形領域の文字の並び順を記憶する文字並び記憶手段と、
前記文字並び記憶手段に記憶した文字並び順を保持したまま、前記文字矩形領域情報抽出手段により抽出した前記各文字矩形領域情報にかかる各画像を、所定の表示窓の表示幅に応じて行送りまたは列送りをして表示する表示手段と、を備えたことを特徴とするイメージ画像表示装置。
【請求項２】
前記処理対象となる前記イメージ画像から画素の連結成分情報を用いて文字行領域または文字列領域の情報を抽出する文字行・文字列領域情報抽出手段をさらに備え、前記文字矩形領域情報抽出手段は、前記文字行・文字列領域情報抽出手段により抽出した文字行領域情報または文字列領域情報から、前記文字矩形領域情報の抽出を行うことを特徴とする請求項１に記載のイメージ画像表示装置。
【請求項３】
前記文字行・文字列領域情報抽出手段は、前記イメージ画像の図形中の文字行または文字列を抽出しないことを特徴とする請求項２に記載のイメージ画像表示装置。
【請求項４】
前記処理対象となる前記イメージ画像から図形領域の情報を抽出する図形領域抽出手段をさらに備え、
前記表示手段は、前記表示窓に前記文字行または文字列とともに当該文字行または文字列表示に重ならないように前記図形領域抽出手段により抽出した図形領域情報かかる画像を表示し、または前記表示窓以外の他の表示窓に前記図形領域抽出手段により抽出した図形領域情報にかかる画像を表示することを特徴とする請求項１から請求項３の何れかに記載のイメージ画像表示装置。
【請求項５】
端末装置において読み取ったイメージ画像を、ホスト装置にネットワークを介して送信し、前記ホスト装置では受信したイメージ画像中の文字行または文字列を、文字の並び順を変更せずに、行送りする当該文字行中の部位または列送りする当該文字列中の部位を変更した表示領域情報を生成し前記端末装置に送信し、前記端末装置では受信した前記表示領域情報に基づき所定の表示窓に前記文字行または文字列を表示するイメージ画像表示システムにおいて、
前記ホスト装置は、
前記端末装置から前記イメージ画像を受信するとともに、前記表示領域情報を前記端末装置に送信する通信手段と、
処理対象となる前記イメージ画像から画素の連結成分情報を用いて文字のみを包含する文字矩形領域の情報を抽出する文字矩形領域情報抽出手段と、
前記文字矩形領域情報抽出手段により抽出した前記各文字矩形領域の文字の並び順を記憶する文字並び記憶手段と、
前記文字並び記憶手段に記憶した文字並び順を保持したまま、前記文字矩形領域情報抽出手段により抽出した前記各文字矩形領域情報にかかる各画像を、前記表示領域の表示幅に応じて行送りまたは列送りして、前記表示領域情報を作成する表示領域情報作成手段とを備え、
前記端末装置は、前記ホスト装置に処理対象となるイメージ画像を送信するとともに、前記ホスト装置から前記表示領域情報を受信する通信手段と、
前記ホスト装置から受信した前記表示領域情報にかかる画像を新たな表示窓に表示する表示手段と、を備えたことを特徴とするイメージ画像表示システム。
【請求項６】
イメージ画像中の文字行または文字列を、文字の並び順を変更せずに、行送りする当該文字行中の部位または列送りする当該文字列中の部位を変更して新たな表示領域に表示するイメージ画像表示方法において、
処理対象となる前記イメージ画像から画素の連結成分情報を用いて文字のみを包含する文字矩形領域の情報を抽出する文字矩形領域情報抽出ステップと、
前記文字矩形領域情報抽出ステップにおいて抽出した前記各文字矩形領域の文字の並び順を記憶する文字並び記憶ステップと、
前記文字並び記憶手段に記憶した文字並び順を保持したまま、前記文字矩形領域情報抽出ステップにおいて抽出した前記各文字矩形領域情報にかかる各画像を、新たな表示領域の表示幅に応じて行送りまたは列送りをして表示する表示ステップと、を備えたことを特徴とするイメージ画像表示方法。
【請求項７】
処理対象となる前記イメージ画像から画素の連結成分情報を用いて文字行領域または文字列領域の情報を抽出する文字行・文字列領域情報抽出ステップをさらに備え、前記文字矩形領域情報抽出ステップでは、前記文字行・文字列領域情報抽出ステップにより抽出した文字行領域情報または文字列領域情報から、前記文字矩形領域情報の抽出を行うことを特徴とする請求項６に記載のイメージ画像表示方法。
【請求項８】
前記文字行・文字列領域情報抽出ステップでは、前記イメージ画像の図形中の文章を区別して抽出することを特徴とする請求項７に記載のイメージ画像表示方法。
【請求項９】
前記処理対象となる前記イメージ画像から図形領域の情報を抽出する図形領域抽出ステップをさらに備え、
前記表示ステップでは、前記新たな表示領域に前記文字行または文字列とともに当該文字行または文字列表示に重ならないように前記図形領域抽出ステップにおいて抽出した図形領域情報にかかる画像を表示し、または前記新たな表示領域以外の他の表示領域に前記図形領域抽出ステップにおいて抽出した図形領域情報にかかる画像を表示することを特徴とする請求項６から請求項８の何れかに記載のイメージ画像表示方法。
【請求項１０】
請求項６から９における各ステップを実行することを特徴とするイメージ画像表示プログラム。
【請求項１１】
請求項１０に記載のプログラムを格納した格納したコンピュータ読み取り可能な記録媒体。
【発明の詳細な説明】
【０００１】
【発明の属する技術分野】
本発明は、表示する機器の表示幅に合わせてビットマップ画像を複写または移動して、他の表示画面に表示することにより、縦スクロールのみで画像の閲覧を可能とすることで可読性を向上させるイメージ画像表示装置、イメージ画像表示システム、イメージ画像表示方法、イメージ画像表示プログラムおよびこのプログラムを格納した記録媒体に関する。
【０００２】
【従来の技術】
これまで、画像をＰＤＡ（情報携帯端末）や携帯電話、画面が小さなパソコンなどでは、表示したい画像のサイズがディスプレイのサイズに比べて大きい場合は、表示したい画像からサムネール画像を作って前記ディスプレイに表示し、または表示したい画像の一部を前記ディスプレイに拡大表示している。
【０００３】
しかし、前記ディスプレイに表示したい画像をサムネール表示した場合には、内容（書かれている文字）が読めなくなってしまうという問題がある。また、表示したい画像の一部を拡大表示する場合には、通常、スクロールにより他の部分も把握できるようにしているが、たとえば横書き文書で１段組みのような文書では、縦スクロールと横スクロールを組み合わせて移動しながら読まなくてはならない場合が多く、操作が煩わしく可読性にも劣る。
【特許文献１】特開平０５−２５０３５７
【特許文献２】特開２０００−２３１５５６
【０００４】
【発明が解決しようとする課題】
特許文献１では、表領域を抽出し、表の再構築を行う方法が提案されているが、再構築をおこなっても、表示したい画像の横サイズおよび縦サイズがディスプレイのサイズに比べて大きな場合には、画像の一部しか表示できない。
【０００５】
また、特許文献２では、印刷レイアウトの確認を行いながら、印刷用データを作成する際、文字データが表示画面上の指定幅を超えないように、文字を縮小、または文字間の縮小、文字列の移動、または途中に改行命令を挿入する等により、全体を表示する方法が提案されている。この技術は、シフトＪＩＳやＪＩＳにおける文字コードでデータを保持し、それを移動する方法であり、一般のワードプロセッサソフトウェアやエディタソフトウェアといわれる文書作成用のアプリケーションソフトで実現されている機能を自動化しているに過ぎない。また、イメージスキャナ等により読み取った画像に適用するには、文字認識プログラム（ＯＣＲプログラム）により読み取った画像を文字コードに変換しなければならないが、文字認識プログラムは数十Ｍバイト以上の大きさが必要となるため、ＰＤＡが携帯型電話機に搭載できない場合がある。また、認識エラーが生じた場合に、操作者は正確な表示された文章を正確に把握することができない。
【０００６】
本発明の目的は、表示する機器の表示幅に合わせてビットマップ画像を複写または移動して、他の表示画面に表示することにより、縦スクロールのみで画像の閲覧を可能とすることで可読性を向上させるイメージ画像表示装置、イメージ画像表示システム、イメージ画像表示方法、イメージ画像表示プログラムおよびこのプログラムを格納した記録媒体を提供することにある。
【０００７】
【課題を解決するための手段】
本発明のイメージ画像表示装置は、イメージ画像中の文字行または文字列を、文字の並び順を変更せずに、行送りする当該文字行中の部位または列送りする当該文字列中の部位を変更して所定の表示窓に表示するもので、処理対象となる前記イメージ画像から画素の連結成分情報を用いて文字のみを包含する文字矩形領域の情報を抽出する文字矩形領域情報抽出手段と、前記文字矩形領域情報抽出手段により抽出した前記各文字矩形領域の文字の並び順を記憶する文字並び記憶手段と、前記文字並び記憶手段に記憶した文字並び順を保持したまま、前記文字矩形領域情報抽出手段により抽出した前記各文字矩形領域情報にかかる各画像を、所定の表示窓の表示幅に応じて行送りまたは列送りをして表示する表示手段とを備えたことを特徴とする。
【０００８】
本発明のイメージ画像表示装置では、前記処理対象となる前記イメージ画像から画素の連結成分情報を用いて文字行領域または文字列領域の情報を抽出する文字行・文字列領域情報抽出手段を備え、前記文字矩形領域情報抽出手段は、前記文字行・文字列領域情報抽出手段により抽出した文字行領域情報または文字列領域情報から、前記文字矩形領域情報の抽出を行うことができる。
【０００９】
本発明のイメージ画像表示装置では、前記文字行・文字列領域情報抽出手段は、前記イメージ画像の図形中の文字行または文字列を抽出しないようにもできる。
【００１０】
本発明のイメージ画像表示装置では、前記処理対象となる前記イメージ画像から図形領域の情報を抽出する図形領域抽出手段をさらに備え、前記表示手段は、前記表示窓に前記文字行または文字列とともに当該文字行または文字列表示に重ならないように前記図形領域抽出手段により抽出した図形領域情報かかる画像を表示し、または前記表示窓以外の他の表示窓に前記図形領域抽出手段により抽出した図形領域情報にかかる画像を表示するように構成することができる。
【００１１】
本発明のイメージ画像表示システムは、端末装置において読み取ったイメージ画像を、ホスト装置にネットワークを介して送信し、前記ホスト装置では受信したイメージ画像中の文字行または文字列を、文字の並び順を変更せずに、行送りする当該文字行中の部位または列送りする当該文字列中の部位を変更した表示領域情報を生成し前記端末装置に送信し、前記端末装置では受信した前記表示領域情報に基づき所定の表示窓に前記文字行または文字列を表示するもので、前記ホスト装置は、前記端末装置から前記イメージ画像を受信するとともに、前記表示領域情報を前記端末装置に送信する通信手段と、処理対象となる前記イメージ画像から画素の連結成分情報を用いて文字のみを包含する文字矩形領域の情報を抽出する文字矩形領域情報抽出手段と、前記文字矩形領域情報抽出手段により抽出した前記各文字矩形領域の文字の並び順を記憶する文字並び記憶手段と、前記文字並び記憶手段に記憶した文字並び順を保持したまま、前記文字矩形領域情報抽出手段により抽出した前記各文字矩形領域情報にかかる各画像を、前記表示領域の表示幅に応じて行送りまたは列送りして、前記表示領域情報を作成する表示領域情報作成手段とを備え、前記端末装置は、前記ホスト装置に処理対象となるイメージ画像を送信するとともに、前記ホスト装置から前記表示領域情報を受信する通信手段と、前記ホスト装置から受信した前記表示領域情報にかかる画像を新たな表示窓に表示する表示手段とを備えたことを特徴とする。
【００１２】
本発明のイメージ画像表示方法は、イメージ画像中の文字行または文字列を、文字の並び順を変更せずに、行送りする当該文字行中の部位または列送りする当該文字列中の部位を変更して新たな表示領域に表示するもので、処理対象となる前記イメージ画像から画素の連結成分情報を用いて文字のみを包含する文字矩形領域の情報を抽出する文字矩形領域情報抽出ステップと、前記文字矩形領域情報抽出ステップにおいて抽出した前記各文字矩形領域の文字の並び順を記憶する文字並び記憶ステップと、前記文字並び記憶手段に記憶した文字並び順を保持したまま、前記文字矩形領域情報抽出ステップにおいて抽出した前記各文字矩形領域情報にかかる各画像を、新たな表示領域の表示幅に応じて行送りまたは列送りをして表示する表示ステップとを備えたことを特徴とする。
【００１３】
本発明のイメージ画像表示方法では、処理対象となる前記イメージ画像から画素の連結成分情報を用いて文字行領域または文字列領域の情報を抽出する文字行・文字列領域情報抽出ステップをさらに備え、前記文字矩形領域情報抽出ステップでは、前記文字行・文字列領域情報抽出ステップにより抽出した文字行領域情報または文字列領域情報から、前記文字矩形領域情報の抽出を行うことができる。
【００１４】
本発明のイメージ画像表示方法では、前記文字行・文字列領域情報抽出ステップでは、前記イメージ画像の図形中の文章を区別して抽出することができる。
【００１５】
本発明のイメージ画像表示方法では、前記処理対象となる前記イメージ画像から図形領域の情報を抽出する図形領域抽出ステップをさらに備え、前記表示ステップでは、前記新たな表示領域に前記文字行または文字列とともに当該文字行または文字列表示に重ならないように前記図形領域抽出ステップにおいて抽出した図形領域情報にかかる画像を表示し、または前記新たな表示領域以外の他の表示領域に前記図形領域抽出ステップにおいて抽出した図形領域情報にかかる画像を表示することができる。
【００１６】
本発明のイメージ画像表示プログラムは、上記各ステップを実行することができるプログラムであり、通常は各ステップがモジュールとして作成される。
【００１７】
本発明のコンピュータ読み取り可能な記録媒体には、上記プログラムが格納される。
【００１８】
【発明の実施の形態】
以下、本発明の実施形態を図面により説明する。
図１は本発明のイメージ画像表示装置の第１実施形態を示すブロック図であり、図１においてイメージ画像表示装置１Ａは、文字行・文字列領域情報抽出手段１１と、文字矩形領域情報抽出手段１２と、文字並び記憶手段１３と、表示手段１４と、イメージ画像蓄積手段１５とからなる。
【００１９】
文字行・文字列領域情報抽出手段１１は、イメージ画像蓄積手段１５に蓄積したイメージ画像を処理対象として、画素の連結成分情報を用いて文字行領域または文字列領域の情報を抽出する。文字行・文字列領域情報抽出手段１１は、イメージ画像に描かれた図形中の文字行または文字列については抽出しないようにできる。
【００２０】
文字矩形領域情報抽出手段１２は、文字行・文字列領域情報抽出手段１１により抽出した文字行領域情報または文字列領域情報から、文字のみを包含する文字矩形領域ＱＲの情報（ＱＲ＿Ｉ：イメージ文字）を抽出する。
【００２１】
文字並び記憶手段１３は、文字矩形領域情報抽出手段１２により抽出した各文字矩形領域ＱＲの文字の並び順を記憶する。
【００２２】
表示手段１４は、文字並び記憶手段１３に記憶した文字並び順を保持したまま、文字矩形領域情報抽出手段１２により抽出した各文字矩形領域情報ＱＲ＿Ｉにかかる各画像を、新たな表示領域の表示幅に応じて行送りまたは列送りをして複写または移動して表示する。
【００２３】
図２は図１のイメージ画像表示装置１Ａを具体的に示す図である。図２においてイメージ画像表示装置１Ａは、内部回路としてＣＰＵ１０１と、ＲＯＭ１０２と、ＲＡＭ１０３とを備えており、ケーシングにはディスプレイ１１１と、シーソーキー１１２が備えられている。ＲＯＭ１０２には、文字行・文字列領域情報抽出プログラム（図１の文字行・文字列領域情報抽出手段１１に対応する）と、文字矩形領域情報抽出プログラム（図１の文字矩形領域情報抽出手段１２に対応する）と、文字並び記憶プログラム（図１の文字並び記憶手段１３に対応する）と、表示プログラム（図１の表示手段１４に対応する）とが格納されている。また、ＲＡＭ１０３は、図１のイメージ画像蓄積手段１５として動作する。
【００２４】
本発明のイメージ画像表示方法を図１のイメージ画像表示装置により説明する。
図３に示すように、イメージ画像表示装置１Ａのディスプレイ１１１に、ＲＡＭ１０３に蓄積されたイメージ画像ＩＧ０が表示されている。イメージ画像ＩＧ０の画像幅は、ディスプレイ１１１の幅よりも広いため、イメージ画像ＩＧ０の一部はディスプレイ１１１には表示されない。図３では表示領域ＤＲ０のうちディスプレイ１１１に表示されていない部分についても仮想的に表示してある。この状態で、イメージ画像ＩＧ０の見えていない部分をディスプレイ１１１に表示するためにはシーソーキー１１２を操作して、イメージ画像ＩＧ０を横方向と縦方向にスクロールしなければならない。
【００２５】
そこで、操作者は、まず、所定指示をソフトキーにより「表示幅変更」ボタンＷＣＢをポイント指示したものとする。
ＲＯＭ１０２の文字行・文字列領域情報抽出プログラム（文字行・文字列領域情報抽出手段１１）は、図４（Ａ）に示すように画素の連結成分情報を用いて文字行領域ＬＲの情報を抽出する。
【００２６】
次に、ＲＯＭ１０２の文字矩形領域情報抽出プログラム（文字矩形領域情報抽出手段１２）は、図４（Ｂ）に示すように文字行・文字列領域情報抽出プログラムにより抽出した文字行領域情報から、文字のみを包含する文字矩形領域ＱＲの情報（イメージ文字）を抽出する。
【００２７】
ＲＯＭ１０２の文字並び記憶プログラム（文字並び記憶手段１３）は、文字矩形領域情報抽出プログラムにより抽出した各文字矩形領域ＱＲの文字の並び順を記憶する。
【００２８】
ＲＯＭ１０２の表示プログラム（表示手段１４）は、図４（Ｃ）に示すように文字並び記憶プログラムより記憶した文字並び順を保持したまま、文字矩形領域情報抽出プログラムにより抽出した各文字矩形領域情報にかかる各画像ＩＧを、新たな表示領域の表示幅に応じて行送りをして再編集し、図５に示すように新たな表示領域ＮＤＲに表示する。
【００２９】
図６は本発明のイメージ画像表示装置の第２実施形態を示すブロック図であり、図６においてイメージ画像表示装置１Ｂは、図１に示した文字行・文字列領域情報抽出手段１１、文字矩形領域情報抽出手段１２、文字並び記憶手段１３、表示手段１４およびイメージ画像蓄積手段１５に加えて、図形領域抽出手段１６をさらに備えている。装置の具体的な構成は、ＲＯＭ１０３に図形領域抽出プログラム（図６の図形領域抽出手段１６に対応する）が加えられている他は、図２に示したイメージ画像表示装置１Ａと同じであるので説明は省略する。
【００３０】
図形領域抽出手段１６は、イメージ画像蓄積手段１５に蓄積されたイメージ画像から図形領域の情報を抽出する。
【００３１】
表示手段１４は、表示領域に文字行とともに当該文字行表示に重ならないように図形領域抽出手段により抽出した図形領域情報にかかる画像を表示し、または前記新たな表示領域以外の他の表示領域に図形領域抽出手段１６により抽出した図形領域情報にかかる画像を表示することができる。図７に、このときの表示例を示す。
【００３２】
図８は本発明のイメージ画像表示システムの実施形態を示すブロック図であり、図３においてイメージ画像表示システム２は、ネットワーク１００により接続されたホスト装置２１と端末装置２２とからなる。ホスト装置２１はたとえば画像処理サーバであり、端末装置２２はたとえば携帯型電話，ＰＤＡ等の携帯型端末装置である。
【００３３】
ホスト装置２１は、文字行・文字列領域情報抽出手段２１１と、文字矩形領域情報抽出手段２１２と、文字並び記憶手段２１３と、表示領域情報作成手段２１４と、イメージ画像蓄積手段２１５と、通信手段２１６とからなる。また、端末装置２２は表示手段２２１と、通信手段２２２とからなる。
【００３４】
図８の文字行・文字列領域情報抽出手段２１１，文字矩形領域情報抽出手段２１２，文字並び記憶手段２１３，イメージ画像蓄積手段２１４は、図１に示した文字行・文字列領域情報抽出手段１１，文字矩形領域情報抽出手段１２と、文字並び記憶手段１３，イメージ画像蓄積手段１５と同じである。図８の表示領域情報作成手段２１４は、文字矩形領域情報抽出手段２１２により抽出した情報を再編集し、通信手段２２２は、この再編集した情報にかかる画像を端末装置２２に送信することができる。
【００３５】
図８のイメージ画像表示システムでは、端末装置２２のディスプレイにイメージ画像蓄積手段２１４に蓄積されているイメージ画像が表示されているものとする。端末装置２２の操作者は、このイメージ画像の横幅がディスプレイの横幅以上であるために読みにくいときは、ホスト装置２１に当該イメージ画像についての処理指令を通信手段２２２により送信するこことができる。
【００３６】
ホスト装置２１は、この処理指令を通信手段２１６により受け取ると、文字行・文字列領域情報抽出手段２１１は処理指令されたイメージ画像から画素の連結成分情報を用いて文字のみを包含する文字矩形領域の情報を抽出する。
【００３７】
文字矩形領域情報抽出手段２１２は文字矩形領域のイメージ画像から画素の連結成分情報を用いて文字のみを包含する文字矩形領域の情報を抽出する。
文字並び記憶手段２１３は、文字矩形領域情報抽出手段２１２により抽出した各文字矩形領域の文字の並び順を記憶する。
【００３８】
表示領域情報作成手段２１４は、文字並び記憶手段２１３に記憶した文字並び順を保持したまま、文字矩形領域情報抽出手段２１２により抽出した前記各文字矩形領域情報にかかる各画像を、前記表示領域の表示幅に応じて行送りまたは列送りして、新たな表示画像情報を作成する。
【００３９】
この新たな表示画像情報は通信手段２１６により、端末装置２２に送信される。端末装置２２では、新たな表示画像情報を通信手段２１２により受け取り、表示手段２２１に表示する。
【００４０】
【発明の効果】
本発明によれば、表示する機器の表示幅に合わせてビットマップ画像を複写または移動して、他の表示画面に表示することにより、縦スクロールのみで画像の閲覧を可能とできる。
【図面の簡単な説明】
【図１】本発明のイメージ画像表示装置の第１実施形態を示すブロック図である。
【図２】図１のイメージ画像表示装置を具体的に示す図である。
【図３】図２のイメージ画像表示装置のディスプレイに、ＲＡＭに蓄積された処理前のイメージ画像が表示されている様子を示す図である。
【図４】（Ａ）は画素の連結成分情報を用いて文字行領域の情報を抽出した様子を示す図、（Ｂ）は文字行・文字列領域情報抽出プログラムにより抽出した文字行領域情報から文字のみを包含する文字矩形領域の情報を抽出した様子を示す図、（Ｃ）は文字並び記憶プログラムより記憶した文字並び順を保持したまま、文字矩形領域情報抽出プログラムにより抽出した各文字矩形領域情報にかかる各画像を新たな表示領域の表示幅に応じて行送りをして再編集した様子を示す図である。
【図５】図１，図２のイメージ画像表示装置により新たな表示領域の表示幅に応じて行送りをして再編集した画像を新たな表示領域に表示した様子を示す図である。
【図６】本発明のイメージ画像表示装置の第２実施形態を示すブロック図である。
【図７】図６に示したイメージ画像表示装置における表示例を示す図である。
【図８】本発明のイメージ画像表示システムの実施形態を示すブロック図である。
【符号の説明】
１Ａ，１Ｂ  イメージ画像表示装置
２  イメージ画像表示システム
１１  文字行・文字列領域情報抽出手段
１２  文字矩形領域情報抽出手段
１３  文字並び記憶手段
１４  表示手段
１５  イメージ画像蓄積手段
１６  図形領域抽出手段
２１  ホスト装置
２２  端末装置
２１１  文字行・文字列領域情報抽出手段
２１２  文字矩形領域情報抽出手段
２１３  文字並び記憶手段
２１４  表示領域情報作成手段
２１５  イメージ画像蓄積手段
２１６，２２２  通信手段
２２１  表示手段
【図１】
2005018337.tif 000003
【図２】
2005018337.tif 000004
【図３】
2005018337.tif 000005
【図４】
2005018337.tif 000006
【図５】
2005018337.tif 000007
【図６】
2005018337.tif 000008
【図７】
2005018337.tif 000009
【図８】
2005018337.tif 000010